(57)【要約】【課題】第１プロトコルを実装した移動ノードでも、第２プロトコルのみに対応したネットワーク内で高速のハンドオーバが可能なハンドオーバ制御システムを提供する。【解決手段】第１プロトコルとして例えばＭＩＰｖ６プロトコルをサポートする移動ノードＭＮ３０が、第２プロトコルとして例えばＩＰｖ４のみをサポートするＩＰｖ４無線ＩＰネットワーク１２内にて通信相手と通信を行うための第２プロトコル経由通信手段としてＤＳＭＩＰｖ６を実装し、かつ、ＩＰｖ４無線ＩＰネットワーク１２内のアクセスルータＡＲ３  ４３、ＡＲ４  ４４間の移動５３時におけるハンドオーバを行うための第２プロトコルハンドオーバ制御手段としてＦＭＩＰｖ４を実装する。ここで、第２プロトコルハンドオーバ制御手段は、ＦＭＩＰｖ４に規定されているｐｒｅｄｉｃｔｉｖｅハンドオーバ手順および／またはｒｅａｃｔｉｖｅハンドオーバ手順を実行する。【選択図】図１
2008271004.tif 000002
【特許請求の範囲】
【請求項１】
アクセスルータ間のハンドオーバ動作を制御するハンドオーバ制御システムにおいて、通信用の手順として第１プロトコルの処理手順を実装した移動通信用通信装置に、前記第１プロトコルとは異なる第２プロトコルのみをサポートする無線ネットワークを介して通信相手と通信を行うための処理手順をサポートする第２プロトコル経由通信手段と、前記第２プロトコルのみをサポートする無線ネットワーク内での移動時のハンドオーバを行うための処理手順をサポートする第２プロトコルハンドオーバ制御手段と、を少なくとも備えていることを特徴とするハンドオーバ制御システム。
【請求項２】
前記第１プロトコルとしてＩＰｖ６プロトコルを適用し、前記第２プロトコルとしてＩＰｖ４を適用し、前記第２プロトコル経由通信手段としてＤＳＭＩＰｖ６による通信手順を実行する通信手段を備え、前記第２プロトコルハンドオーバ制御手段としてＦＭＩＰｖ４による手順を実行するハンドオーバ手段を備えていることを特徴とする請求項１に記載のハンドオーバ制御システム。
【請求項３】
前記ハンドオーバ手段は、ＦＭＩＰｖ４に規定されているｐｒｅｄｉｃｔｉｖｅハンドオーバ手順および／またはｒｅａｃｔｉｖｅハンドオーバ手順を実行することを特徴とする請求項２に記載のハンドオーバ制御システム。
【請求項４】
アクセスルータ間のハンドオーバ動作を制御するハンドオーバ制御方法において、通信用の手順として第１プロトコルの処理手順を実装した移動通信用通信装置が、前記第１プロトコルとは異なる第２プロトコルのみをサポートする無線ネットワークを介して通信相手と通信を行うための処理手順をサポートする第２プロトコル経由通信ステップと、前記第２プロトコルのみをサポートする無線ネットワーク内での移動時のハンドオーバを行うための処理手順をサポートする第２プロトコルハンドオーバ制御ステップと、を少なくとも有していることを特徴とするハンドオーバ制御方法。
【請求項５】
前記第１プロトコルとしてＩＰｖ６プロトコルを適用し、前記第２プロトコルとしてＩＰｖ４を適用し、前記第２プロトコル経由通信ステップとしてＤＳＭＩＰｖ６による通信手順を実行し、前記第２プロトコルハンドオーバ制御ステップとしてＦＭＩＰｖ４による手順を実行することを特徴とする請求項４に記載のハンドオーバ制御方法。
【請求項６】
前記第２プロトコルハンドオーバ制御ステップとしてＦＭＩＰｖ４による手順を実行する場合、ＦＭＩＰｖ４に規定されているｐｒｅｄｉｃｔｉｖｅハンドオーバ手順および／またはｒｅａｃｔｉｖｅハンドオーバ手順を実行することを特徴とする請求項５に記載のハンドオーバ制御方法。
【請求項７】
請求項４ないし６のいずれかに記載のハンドオーバ制御方法を、コンピュータにより実行可能なプログラムとして実施することを特徴とするハンドオーバ制御プログラム。
【請求項８】
請求項７に記載のハンドオーバ制御プログラムを、コンピュータにより読み取り可能な記録媒体に記録していることを特徴とするプログラム記録媒体。
【発明の詳細な説明】
【技術分野】
【０００１】
本発明は、ハンドオーバ制御システム、ハンドオーバ制御方法、ハンドオーバ処理プログラムおよびプログラ記録媒体に関する。
【背景技術】
【０００２】
特許文献１の特開２００５−７３２７１号公報「ＩＳＡＴＡＰを用いてＩＰｖ４コンポーネントを備えたネットワーク上でのモバイルＩＰｖ６通信を可能とするシステムおよび方法並びに記録媒体」に記載のように、無線ＩＰネットワーク上において、移動通信用通信装置つまり移動ノード（ＭＮ:Mobile Node）がアクセスルータ（ＡＲ:Access Router）間を移動するときに、通信が途切れないようにするハンドオーバ技術として、モバイルＩＰｖ６（ＭＩＰｖ６：Mobile ＩＰｖ６）がある。また、ＭＩＰｖ６をサポートした移動ノードＭＮは、ＩＰｖ６無線ＩＰネットワークの範囲内のみで移動することが可能であるが、ＭＩＰｖ６を使用しつつ、ＩＰｖ４無線ＩＰネットワークへも移動可能とする技術として、デュアルスタックモバイルＩＰｖ６（ＤＳＭＩＰｖ６：Dual Stack Mobile ＩＰｖ６）がある。
【０００３】
一方、ハンドオーバを高速化する仕組みとして、ＩＰｖ６無線ＩＰネットワーク用のＦＭＩＰｖ６（Fast Handover for Mobile ＩＰｖ６）、および、ＩＰｖ４無線ＩＰネットワーク用のＦＭＩＰｖ４（Fast Handover for Mobile ＩＰｖ４）がある。
【特許文献１】特開２００５−７３２７１号公報（第８−９頁）
【発明の開示】
【発明が解決しようとする課題】
【０００４】
しかしながら、従来技術には、以下のような問題がある。
【０００５】
従来のハンドオーバの高速化を実現するＦＭＩＰｖ６、ＦＭＩＰｖ４は、それぞれ、ＩＰｖ６無線ＩＰネットワーク、ＩＰｖ４無線ＩＰネットワークの範囲内においてのみ利用可能である。そのため、デュアルスタックモバイルＩＰｖ６を実装した移動ノードＭＮが、ＤＳＭＩＰｖ６を使用して、ＦＭＩＰｖ６をサポートしたＩＰｖ６無線ＩＰネットワークに存在しているときには、ＦＭＩＰｖ６を利用した高速なハンドオーバを実行することが可能であるが、一方、ＤＳＭＩＰｖ６を使用して、ＦＭＩＰｖ４をサポートしたＩＰｖ４無線ＩＰネットワークに存在している場合には、ＤＳＭＩＰｖ６を使用する移動ノードＭＮでは、ＦＭＩＰｖ４を利用した高速なハンドオーバを実行することができない。
【０００６】
本発明は、かかる事情に鑑みてなされたものであり、第１プロトコルを実装した移動通信用通信装置であって、前記第１プロトコルとは異なる第２プロトコルのみに対応したネットワークを介して、前記第１プロトコルに対応した通信装置と通信する際に、前記第２プロトコルのみ使用可能なエリア間でハンドオーバを行うためのプロトコルを実行可能とする処理手順を当該移動通信用通信装置に備えることにより、当該移動通信用通信装置が前記第２プロトコルのネットワーク内で移動する場合であっても、高速なハンドオーバ動作を実行可能とするハンドオーバ制御システム、ハンドオーバ制御方法、ハンドオーバ処理プログラムおよびプログラ記録媒体を提供することを、その目的としている。
【０００７】
例えば、前記第１プロトコルとしてモバイルＩＰｖ６（ＭＩＰｖ６）を含むＩＰｖ６を、また、前記第２プロトコルとしてＩＰｖ４を用い、前記移動通信用通信装置すなわち移動ノードＭＮが、ＭＩＰｖ６をサポートしつつ、ＩＰｖ４無線ＩＰネットワーク内へも移動可能とするＤＳＭＩＰｖ６を実装している場合において、ＤＳＭＩＰｖ６を実装している移動ノードＭＮが、ＦＭＩＰｖ４をサポートしているＩＰｖ４無線ＩＰネットワークにおいて、アクセスルータＡＲ間のハンドオーバを行う際に、ＦＭＩＰｖ４の処理手順を実行可能とすることにより、ＩＰｖ４無線ＩＰネットワーク内においてもＤＳＭＩＰｖ６上で高速なハンドオーバを実現するハンドオーバ制御システム、ハンドオーバ制御方法、ハンドオーバ処理プログラムおよびプログラ記録媒体を提供することを、その目的としている。
【課題を解決するための手段】
【０００８】
前述の課題を解決するため、本発明によるハンドオーバ制御システム、ハンドオーバ制御方法、ハンドオーバ処理プログラムおよびプログラ記録媒体は、次のような特徴的な構成を採用している。
【０００９】
（１）アクセスルータ間のハンドオーバ動作を制御するハンドオーバ制御システムにおいて、通信用の手順として第１プロトコルの処理手順を実装した移動通信用通信装置に、前記第１プロトコルとは異なる第２プロトコルのみをサポートする無線ネットワークを介して通信相手と通信を行うための処理手順をサポートする第２プロトコル経由通信手段と、前記第２プロトコルのみをサポートする無線ネットワーク内での移動時のハンドオーバを行うための処理手順をサポートする第２プロトコルハンドオーバ制御手段と、を少なくとも備えているハンドオーバ制御システム。
（２）前記第１プロトコルとしてＩＰｖ６プロトコルを適用し、前記第２プロトコルとしてＩＰｖ４を適用し、前記第２プロトコル経由通信手段としてＤＳＭＩＰｖ６による通信手順を実行する通信手段を備え、前記第２プロトコルハンドオーバ制御手段としてＦＭＩＰｖ４による手順を実行するハンドオーバ手段を備えている上記（１）のハンドオーバ制御システム。
（３）前記ハンドオーバ手段は、ＦＭＩＰｖ４に規定されているｐｒｅｄｉｃｔｉｖｅハンドオーバ手順および／またはｒｅａｃｔｉｖｅハンドオーバ手順を実行する上記（２）のハンドオーバ制御システム。
（４）アクセスルータ間のハンドオーバ動作を制御するハンドオーバ制御方法において、通信用の手順として第１プロトコルの処理手順を実装した移動通信用通信装置が、前記第１プロトコルとは異なる第２プロトコルのみをサポートする無線ネットワークを介して通信相手と通信を行うための処理手順をサポートする第２プロトコル経由通信ステップと、前記第２プロトコルのみをサポートする無線ネットワーク内での移動時のハンドオーバを行うための処理手順をサポートする第２プロトコルハンドオーバ制御ステップと、を少なくとも有しているハンドオーバ制御方法。
（５）前記第１プロトコルとしてＩＰｖ６プロトコルを適用し、前記第２プロトコルとしてＩＰｖ４を適用し、前記第２プロトコル経由通信ステップとしてＤＳＭＩＰｖ６による通信手順を実行し、前記第２プロトコルハンドオーバ制御ステップとしてＦＭＩＰｖ４による手順を実行する上記（４）のハンドオーバ制御方法。
（６）前記第２プロトコルハンドオーバ制御ステップとしてＦＭＩＰｖ４による手順を実行する場合、ＦＭＩＰｖ４に規定されているｐｒｅｄｉｃｔｉｖｅハンドオーバ手順および／またはｒｅａｃｔｉｖｅハンドオーバ手順を実行する上記（５）のハンドオーバ制御方法。
（７）上記（４）ないし（６）のいずれかのハンドオーバ制御方法を、コンピュータにより実行可能なプログラムとして実施するハンドオーバ制御プログラム。
（８）上記（７）のハンドオーバ制御プログラムを、コンピュータにより読み取り可能な記録媒体に記録しているプログラム記録媒体。
【発明の効果】
【００１０】
本発明のハンドオーバ制御システム、ハンドオーバ制御方法、ハンドオーバ処理プログラムおよびプログラ記録媒体によれば、以下のような効果を得ることができる。
【００１１】
本発明により、第１プロトコルを実装した移動通信用通信装置つまり移動ノードに、アクセスルータ間のハンドオーバを行う処理手順として、前記第１プロトコルの他に、前記第１プロトコルとは異なる第２プロトコルを使用したハンドオーバ処理手順を備えることにより、前記第１プロトコルを実装した移動ノードが、前記第２プロコトルのネットワーク内で移動した場合であっても、前記第２プロコトルによりアクセスルータ間のハンドオーバを実行することが可能となる。
【００１２】
例えば、前記第１プロトコル、前記第２プロコトルとして、それぞれ、ＭＩＰｖ６を含むＩＰｖ６、ＩＰｖ４を用いる場合、ＤＳＭＩＰｖ６を実装した移動ノードＭＮのハンドオーバ手順として、ＦＭＩＰｖ４をも実装することにより、ＤＳＭＩＰｖ６を用いて、移動ノードＭＮがＦＭＩＰｖ４をサポートしたＩＰｖ４無線ＩＰネットワークに存在している場合には、ＦＭＩＰｖ４により、ＩＰｖ４無線ＩＰネットワーク内のアクセスルータ間のハンドオーバを高速に実行することができる。一方、移動ノードＭＮがＩＰｖ６無線ＩＰネットワークに存在している場合には、ＦＭＩＰｖ６等のＩＰｖ６上における高速化ハンドオーバ動作をそのまま利用して、ＩＰｖ６無線ＩＰネットワーク内のアクセスルータ間のハンドオーバを高速に実行することができる。
【発明を実施するための最良の形態】
【００１３】
以下、本発明によるハンドオーバ制御システム、ハンドオーバ制御方法、ハンドオーバ処理プログラムおよびプログラ記録媒体の好適な実施例について添付図を参照して説明する。なお、以下の説明においては、本発明によるハンドオーバ制御システム、ハンドオーバ制御方法を説明するが、かかるハンドオーバ制御方法をコンピュータにより実行可能なハンドオーバ処理プログラムとして実施するようにしても良いし、あるいは、ハンドオーバ処理プログラムをコンピュータにより読み取り可能な記録媒体に記録するようにしても良いことは言うまでもない。
【００１４】
（本発明の特徴）
本発明は、第１プロトコルを実装した移動通信用通信装置つまり移動ノードについて、前記第１プロトコルとは異なる第２プロトコルのみに対応したネットワークを介して、前記第１プロトコルに対応した通信相手と通信する際に、前記第２プロトコルのみ使用可能なエリア間でハンドオーバを行うためのプロトコルを実行可能とする第２プロトコルハンドオーバ制御手段を当該移動通信用通信装置に備えることにより、当該移動通信用通信装置が前記第２プロトコルのネットワーク内で移動する場合であっても、高速なハンドオーバ動作を実行可能とする点に、その特徴を有している。つまり、第１プロトコルを実装した移動通信用通信装置において、アクセスルータ間のハンドオーバを行うための処理手順として、前記第１プロトコルのみならず前記第２プロトコルを用いたハンドオーバの処理手順を実行可能としている点に、その特徴を有している。
【００１５】
例えば、前記第１プロトコル、前記第２プロトコルとして、それぞれ、ＭＩＰｖ６、ＩＰｖ４を適用している場合、前記第１プロトコルとは異なる前記第２プロトコルのみをサポートする無線ネットワークを介して通信相手と通信を行うための処理手順をサポートする第２プロトコル経由通信手段としてデュアルスタックモバイルＩＰｖ６（ＤＳＭＩＰｖ６：Dual Stack Mobile ＩＰｖ６）を実装した移動ノードＭＮ（Mobile Node）が、前記第２プロトコルのみをサポートする無線ネットワーク内での移動時のハンドオーバを行うための処理手順をサポートする第２プロトコルハンドオーバ制御手段のハンドオーバ処理手順として、ＦＭＩＰｖ４をもサポートすることにより、ＩＰｖ６無線ＩＰネットワーク内のみならず、ＩＰｖ４無線ＩＰネットワーク内においてハンドオーバ動作を高速に実行することを可能とすることを、その特徴としている。
【００１６】
（本発明の実施例）
以下の本発明の一実施例に関する説明においては、移動通信用通信装置として、ＭＩＰｖ６を使用しつつ、ＩＰｖ４無線ＩＰネットワークへも移動可能とするデュアルスタックモバイルＩＰｖ６（ＤＳＭＩＰｖ６：Dual Stack Mobile ＩＰｖ６）を実装した移動ノードＭＮ（Mobile Node）を、また、第１プロトコルとしてＭＩＰｖ６を含むＩＰｖ６を、該第１プロトコルとは異なる第２プロトコルとしてＩＰｖ４を適用している場合におけるハンドオーバ制御システム、ハンドオーバ制御方法について説明する。
【００１７】
図１は、本発明によるハンドオーバ制御方法を適用可能なハンドオーバ制御システムのネットワーク構成の一例を示すネットワーク構成図である。図１において、ハンドオーバ制御システムを構成するネットワークは、アクセスルータＡＲ１  ４１、ＡＲ２  ４２を中心にＩＰｖ６用のネットワークを構成するＩＰｖ６無線ＩＰネットワーク１１と、アクセスルータＡＲ３  ４３、ＡＲ４  ４４を中心にＩＰｖ４用のネットワークを構成するＩＰｖ４無線ＩＰネットワーク１２と、デュアルスタックモバイルＩＰｖ６（ＤＳＭＩＰｖ６：Dual Stack Mobile ＩＰｖ６）をサポートするホームエージェント（ＨＡ： Home Agent）２０と、ＩＰ通信網であるインターネット１０と、が互いに接続されることにより構成されている。
【００１８】
ここで、アクセスルータＡＲ１  ４１、ＡＲ２  ４２は、ＩＰｖ６用の高速ハンドオーバプロトコルであるＦＭＩＰｖ６（Fast Handover for Mobile ＩＰｖ６）をサポートし、一方、アクセスルータＡＲ３  ４３、ＡＲ４  ４４は、ＩＰｖ４用の高速ハンドオーバプロトコルであるＦＭＩＰｖ４（Fast Handover for Mobile ＩＰｖ４）をサポートしている。
【００１９】
また、図１のネットワークにアクセスする移動ノードＭＮ３０は、デュアルスタックモバイルＩＰｖ６（ＤＳＭＩＰｖ６：Dual Stack Mobile ＩＰｖ６）とＩＰｖ４用の高速ハンドオーバプロトコルであるＦＭＩＰｖ４（Fast Handover for Mobile ＩＰｖ４）とを実装している。なお、ＤＳＭＩＰｖ６には、当然のことながら、ＩＰｖ６用の高速ハンドオーバプロトコルであるＦＭＩＰｖ６（Fast Handover for Mobile ＩＰｖ６）が実装されている。なお、移動ノードＭＮ３０には、ＩＰｖ６無線ＩＰネットワーク１１内の高速ハンドオーバが可能なＦＭＩＰｖ６を含むＭＩＰｖ６を実行しつつ、ＩＰｖ４無線ＩＰネットワーク１２へも移動可能とするＤＳＭＩＰｖ６とは独立のプロトコルとして、ＩＰｖ４無線ＩＰネットワーク１２内の高速ハンドオーバプロトコルであるＦＭＩＰｖ４を別個に実装する場合を例示しているが、移動ノードＭＮ３０に実装されるＤＳＭＩＰｖ６を機能拡張して、ＦＭＩＰｖ４をも含む拡張版ＤＳＭＩＰｖ６としてまとめて実装するようにしても良い。
【００２０】
ここで、移動ノードＭＮ３０の移動パターンとして、ＩＰｖ６無線ＩＰネットワーク１１内のアクセスルータＡＲ１  ４１、ＡＲ２  ４２間の移動５１、ＩＰｖ６無線ＩＰネットワーク１１とＩＰｖ４無線ＩＰネットワーク１２とを跨るアクセスルータＡＲ２  ４２、ＡＲ３  ４３間の移動５２、ＩＰｖ４無線ＩＰネットワーク１２内のアクセスルータＡＲ３  ４３、ＡＲ４  ４４間の移動５３の３種類のパターンが存在するが、以下の説明は、ＤＳＭＩＰｖ６およびＦＭＩＰｖ４を実装した移動ノードＭＮ３０が、ＩＰｖ４無線ＩＰネットワーク１２内のアクセスルータＡＲ３  ４３、ＡＲ４  ４４間を移動する移動５３に関するハンドオーバ動作について説明する。
【００２１】
次に、図２、図３のシーケンスチャートを用いて、ＤＳＭＩＰｖ６およびＦＭＩＰｖ４を実装した移動ノードＭＮ３０が、ＩＰｖ４無線ＩＰネットワーク１２内のアクセスルータＡＲ３  ４３、ＡＲ４  ４４間の移動５３を行う際のメッセージ交換方法について、その詳細を説明する。図２は、ＦＭＩＰｖ４で規定されているpredictiveハンドオーバを行った場合のメッセージ交換シーケンスの一例を示すシーケンスチャートであり、図３は、ＦＭＩＰｖ４で規定されているreactiveハンドオーバを行った場合のメッセージ交換シーケンスの一例を示すシーケンスチャートである。
【００２２】
なお、図２、図３に示す移動前アクセスルータＰＡＲ（Previous Access Router)４３は、図１に示すアクセスルータＡＲ３  ４３、ＡＲ４  ４４間の移動５３における移動前のアクセスルータＡＲ３  ４３に相当し、図２、図３に示す移動後アクセスルータＮＡＲ(New Access Router)４４は、図１に示すアクセスルータＡＲ３  ４３、ＡＲ４  ４４間の移動５３における移動後のアクセスルータＡＲ４  ４４に相当する。
【００２３】
まず、図２を用いて、ＦＭＩＰｖ４で規定されているpredictiveハンドオーバを行った場合のシーケンスについて説明する。移動ノードＭＮ３０が、リンク層情報から次に移動する移動後アクセスルータＮＡＲ４４の電波を検知すると、移動後アクセスルータＮＡＲ４４に関する情報の転送を要求するRtSolPr(Router Solicitation for Proxy Advertisement)メッセージを、現在接続中の移動前アクセスルータＰＡＲ４３に対して送信する(ステップＳ１００)。RtSolPrメッセージを受け取った移動前アクセスルータＰＡＲ４３は、PrRtAdv(Proxy Router Advertisement)メッセージにより、移動後アクセスルータＮＡＲ４４の情報つまり移動後アクセスルータＮＡＲ４４のレイヤ２アドレス、ＩＰアドレス、プレフィックスを、要求元の移動ノードＭＮ３０に対して送信する(ステップＳ１０１)。
【００２４】
PrRtAdvメッセージを受け取った移動ノードＭＮ３０は、移動後アクセスルータＮＡＲ４４配下での気付けアドレス（ＮＣｏＡ：New Care of Address）を取得するために、ＦＢＵ（Fast Binding Update）メッセージを現在接続中の移動前アクセスルータＰＡＲ４３に対して送信する(ステップＳ１０２)。ＦＢＵメッセージを受け取った移動前アクセスルータＰＡＲ４３は、気付けアドレスＮＣｏＡを問い合わせるためにＨＩ（Handover Initiate）メッセージを移動後アクセスルータＮＡＲ４４に対して送信する(ステップＳ１０３)。その結果、移動前アクセスルータＰＡＲ４３は、移動後アクセスルータＮＡＲ４４からＨＩメッセージに対する応答となるＨＡｃｋ(Handover Acknowledge) メッセージを受信することにより、移動後アクセスルータＮＡＲ４４配下での気付けアドレスＮＣｏＡを取得する(ステップＳ１０４)。
【００２５】
そして、移動前アクセスルータＰＡＲ４３は、取得した気付けアドレスＮＣｏＡを含んだＦＢＡｃｋ（Fast Binding Acknowledgment）メッセージを、要求元の移動ノードＭＮ３０と、ＨＡｃｋメッセージの送信元の移動後アクセスルータＮＡＲ４４と、の双方に対して、それぞれ送信する(ステップＳ１０５、ステップＳ１０６)。ＦＢＡｃｋメッセージを受け取った移動ノードＭＮ３０は、今まで設定していた自機のＩＰｖ４アドレスを、ＦＢＡｃｋメッセージにより取得した気付けアドレスＮＣｏＡに変更した後、高速ハンドオーバ動作として移動後アクセスルータＮＡＲ４４へハンドオーバしたことを示すＦＮＡ（Fast Neighbor Advertisement）メッセージを移動後アクセスルータＮＡＲ４４に対して送信する(ステップＳ１０７)。
【００２６】
しかる後、移動ノードＭＮ３０は、移動後アクセスルータＮＡＲ４４配下での気付けアドレスＮＣｏＡを含んだＢＵ（Binding Update）メッセージをホームエージェントＨＡ２０に対して送信する(ステップＳ１０８)。ＢＵメッセージを受け取ったホームエージェントＨＡ２０は、送信元の移動ノードＭＮ３０の存在位置を、移動前アクセスルータＰＡＲ４３から移動後アクセスルータＮＡＲ４４の気付けアドレスＮＣｏＡに書き換えることにより、移動ノードＭＮ３０がＩＰｖ４無線ＩＰネットワーク１２内のアクセスルータＡＲ３  ４３、ＡＲ４  ４４間を移動した場合の高速ハンドオーバ動作を実施する。
【００２７】
以上によって、移動ノードＭＮ３０に関するＩＰｖ４無線ＩＰネットワーク１２内のアクセスルータＡＲ３  ４３、ＡＲ４  ４４間のハンドオーバ動作が完了する。ここで、移動ノードＭＮ３０、移動前アクセスルータＰＡＲ４３、移動後アクセスルータＮＡＲ４４の間でメッセージのやり取りを行うステップＳ１００からステップ１０７までは、ＦＭＩＰｖ４のプロトコルを使用し、移動ノードＭＮ３０とホームエージェントＨＡ２０との間でメッセージのやり取りを行うステップＳ１０８は、ＤＳＭＩＰｖ６のプロトコルを使用する。
【００２８】
次に、図３を用いて、ＦＭＩＰｖ４で規定されているreactiveハンドオーバを行った場合のシーケンスについて説明する。移動ノードＭＮ３０が、リンク層情報から次に移動する移動後アクセスルータＮＡＲ４４の電波を検知すると、図２の場合と同様、移動後アクセスルータＮＡＲ４４に関する情報の転送を要求するRtSolPr(Router Solicitation for Proxy Advertisement)メッセージを、現在接続中の移動前アクセスルータＰＡＲ４３に対して送信する(ステップＳ２００)。RtSolPrメッセージを受け取った移動前アクセスルータＰＡＲ４３は、図２の場合と同様、PrRtAdv(Proxy Router Advertisement)メッセージにより、移動後アクセスルータＮＡＲ４４の情報を、要求元の移動ノードＭＮ３０に対して送信する(ステップＳ２０１)。
【００２９】
PrRtAdvメッセージを受け取った移動ノードＭＮ３０は、reactiveハンドオーバを行う図３においては、図２の場合とは異なり、ネットワークの接続を、移動前アクセスルータＰＡＲ４３から移動後アクセスルータＮＡＲ４４へと自律的に変更するとともに、その変更を移動後アクセスルータＮＡＲ４４に通知するために、reactiveハンドオーバによる高速ハンドオーバ動作としてアクセスルータを移動後アクセスルータＮＡＲ４４へハンドオーバしたことを通知するＦＮＡ（Fast Neighbor Advertisement）メッセージを移動後アクセスルータＮＡＲ４４に対して送信する(ステップＳ２０２)。ここで、ステップＳ２０２は、図２のステップＳ１０７と同様の処理である。
【００３０】
次に、ＦＮＡメッセージを受け取った移動後アクセスルータＮＡＲ４４は、reactiveハンドオーバにより、以降の通信を移動後アクセスルータＮＡＲ４４にて行うことを移動前アクセスルータＰＡＲ４３に通知するために、移動後アクセスルータＮＡＲ４４配下での気付けアドレス（ＮＣｏＡ：New Care of Address）を含んだＦＢＵ（Fast Binding Update）メッセージを移動前アクセスルータＰＡＲ４３に対して送信する(ステップＳ２０３)。ＦＢＵメッセージを受け取った移動前アクセスルータＰＡＲ４３は、受信確認を示すＦＢＡｃｋ（Fast Binding Acknowledgment）メッセージを、送信元の移動後アクセスルータＮＡＲ４４に対して送信する(ステップＳ２０４)。
【００３１】
しかる後、移動ノードＭＮ３０は、図２のステップＳ１０８と同様、移動後アクセスルータＮＡＲ４４配下での気付けアドレスＮＣｏＡを含んだＢＵ（Binding Update）メッセージをホームエージェントＨＡ２０に対して送信する(ステップＳ２０５)。ＢＵメッセージを受け取ったホームエージェントＨＡ２０は、送信元の移動ノードＭＮ３０の存在位置を、移動前アクセスルータＰＡＲ４３から移動後アクセスルータＮＡＲ４４の気付けアドレスＮＣｏＡに書き換えることにより、移動ノードＭＮ３０がＩＰｖ４無線ＩＰネットワーク１２内のアクセスルータＡＲ３  ４３、ＡＲ４  ４４間を移動した場合の高速ハンドオーバ動作を実施する。
【００３２】
以上によって、移動ノードＭＮ３０に関するＩＰｖ４無線ＩＰネットワーク１２内のアクセスルータＡＲ３  ４３、ＡＲ４  ４４間のハンドオーバ動作が完了する。ここで、移動ノードＭＮ３０、移動前アクセスルータＰＡＲ４３、移動後アクセスルータＮＡＲ４４の間でメッセージのやり取りを行うステップＳ２００からステップ２０４までは、ＦＭＩＰｖ４のプロトコルを使用し、移動ノードＭＮ３０とホームエージェントＨＡ２０との間でメッセージのやり取りを行うステップＳ２０５は、ＤＳＭＩＰｖ６のプロトコルを使用する。
【００３３】
（本実施例の効果）
以上に説明したように、本実施例のハンドオーバ制御方法により、ＤＳＭＩＰｖ６を実装した移動ノードＭＮ３０のハンドオーバ手順として、ＦＭＩＰｖ４をも実装することにより、ＤＳＭＩＰｖ６を用いて、移動ノードＭＮ３０がＦＭＩＰｖ４をサポートしたＩＰｖ４無線ＩＰネットワーク１２に存在している場合には、ＦＭＩＰｖ４により、ＩＰｖ４無線ＩＰネットワーク１２内のアクセスルータＡＲ３  ４３、ＡＲ４  ４４間のハンドオーバを高速に実行することができる。一方、移動ノードＭＮ３０がＩＰｖ６無線ＩＰネットワーク１１に存在している場合には、ＦＭＩＰｖ６等のＩＰｖ６上における高速化ハンドオーバ動作をそのまま利用して、ＩＰｖ６無線ＩＰネットワーク１１内のアクセスルータＡＲ１  ４１、ＡＲ２  ４２間の間のハンドオーバを高速に実行することができる。
【００３４】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【図面の簡単な説明】
【００３５】
【図１】本発明によるハンドオーバ制御方法を適用可能なハンドオーバ制御システムのネットワーク構成の一例を示すネットワーク構成図である。
【図２】ＦＭＩＰｖ４で規定されているpredictiveハンドオーバを行った場合のメッセージ交換シーケンスの一例を示すシーケンスチャートである。
【図３】ＦＭＩＰｖ４で規定されているreactiveハンドオーバを行った場合のメッセージ交換シーケンスの一例を示すシーケンスチャートである。
【符号の説明】
【００３６】
１０    インターネット
１１    ＩＰｖ６無線ＩＰネットワーク
１２    ＩＰｖ４無線ＩＰネットワーク
２０    ホームエージェントＨＡ（Home Agent）
３０    移動ノードＭＮ（Mobile Node）
４１    アクセスルータＡＲ１
４２    アクセスルータＡＲ２
４３    アクセスルータＡＲ３（移動前アクセスルータＰＡＲ）
４４    アクセスルータＡＲ４（移動後アクセスルータＮＡＲ）
５１    ＩＰｖ６無線ＩＰネットワーク内移動
５２    ＩＰｖ６無線ＩＰネットワークからＩＰｖ４無線ＩＰネットワークへの
移動
５３    ＩＰｖ４無線ＩＰネットワーク内移動
【図１】
2008271004.tif 000003
【図２】
2008271004.tif 000004
【図３】
2008271004.tif 000005